(57)【要約】【課題】より多機能の発光装置を提供する。【解決手段】実施形態によれば、発光装置は、第１発光モジュール、及び、複数の第２発光モジュールを含む。前記第１発光モジュールは、第１方向に沿う第１辺と、前記第１方向に沿う第２辺と、を含む。前記第１辺から前記第２辺への方向は、前記第１方向と交差する第２方向に沿う。前記複数の第２発光モジュールは、前記第２方向に沿って並ぶ。前記複数の第２発光モジュールを含む第１発光領域から前記第１発光モジュールへの方向は、前記第１方向に沿う。前記第１発光領域は、前記第１方向に沿う第３辺、及び、前記第１方向に沿う第４辺を含む。前記第３辺から前記第１辺への方向は前記第１方向に沿う。前記第４辺から前記第２辺への方向は、前記第１方向に沿う。【選択図】図１
2020053270.tif 000002
【特許請求の範囲】
【請求項１】
第１方向に沿う第１辺と、前記第１方向に沿う第２辺と、を含む第１発光モジュールであって、前記第１辺から前記第２辺への方向は、前記第１方向と交差する第２方向に沿う前記第１発光モジュールと、
前記第２方向に沿って並ぶ複数の第２発光モジュールと、
を備え、
前記複数の第２発光モジュールを含む第１発光領域から前記第１発光モジュールへの方向は、前記第１方向に沿い、
前記第１発光領域は、前記第１方向に沿う第３辺、及び、前記第１方向に沿う第４辺を含み、
前記第３辺から前記第１辺への方向は前記第１方向に沿い、
前記第４辺から前記第２辺への方向は、前記第１方向に沿う、発光装置。
【請求項２】
前記第１辺から前記第２辺への前記第２方向に沿う距離は、前記複数の第２発光モジュールのそれぞれの前記第２方向に沿う長さの和と実質的に同じである、請求項１記載の発光装置。
【請求項３】
前記第１発光領域は、複数の群を含み、
前記複数の群の１つは、前記複数の第２発光モジュールを含み、
前記複数の群は、前記第１方向に沿って並ぶ、請求項１または２に記載の発光装置。
【請求項４】
第２発光領域をさらに備え、
前記第２発光領域は、前記第１方向に沿って並ぶ別の前記複数の第２発光モジュールを含み、
前記第１発光モジュールから前記第２発光領域への方向は、前記第２方向に沿い、
前記第１発光モジュールは、前記第２方向に沿う第５辺と、第２方向に沿う第６辺と、を含み、前記第５辺から前記第６辺への方向は、前記第１方向に沿い、
前記第２発光領域は、前記第２方向に沿う第７辺、及び、前記第２方向に沿う第８辺を含み、前記第５辺から前記第７辺への方向は前記第２方向に沿い、前記第６辺から前記第８辺への方向は、前記第２方向に沿う、請求項１〜３のいずれか１つに記載の発光装置。
【請求項５】
前記発光装置の発光面は、１つまたは複数の前記第１発光モジュール、及び、前記複数の第２発光モジュールにより形成された実質的な矩形状である、請求項１〜４のいずれか１つに記載の発光装置。
【請求項６】
前記第１発光モジュールは、複数の第１発光素子を含み、
前記複数の第２発光モジュールの１つは、複数の第２発光素子を含み、
前記複数の第１発光素子の前記第１方向に沿うピッチは、前記複数の第２発光素子の前記第１方向に沿うピッチと、実質的に同じである、請求項１〜５のいずれか１つに記載の発光装置。
【請求項７】
回路部をさらに備え、
前記第１発光モジュールは、複数の発光素子を含み、
前記回路部は、前記複数の発光素子の少なくとも２つと電気的に接続され、
前記回路部は、前記複数の発光素子の前記少なくとも２つが並列に電気的に接続された第１状態と、前記複数の発光素子の前記少なくとも２つが直列に電気的に接続された第２状態と、を切り替える、請求項１〜５のいずれか１つに記載の発光装置。
【請求項８】
第１発光モジュールと、
第１方向に沿って並ぶ複数の第２発光モジュールを含む群と、
を備え、
前記第１発光モジュールは前記群の端に設けられ、
前記群から前記第１発光モジュールへの方向は、前記第１方向に沿い、
前記第１発光モジュールの形状は、前記複数の第２発光モジュールのそれぞれの形状とは異なる、発光装置。
【請求項９】
前記第１発光モジュールは、第１端部と、第２端部と、を含み、
前記第１端部は、前記第１方向において、前記第２端部と前記群との間にあり、
前記複数の第２発光モジュールの１つは、第３端部と、第４端部と、を含み、
前記第４端部は、前記第１方向において、前記第３端部と、前記第１発光モジュールとの間にあり、
前記第４端部は、前記第１端部に沿い、
前記第２端部の形状は、前記第４端部の形状と異なる、請求項８記載の発光装置。
【請求項１０】
前記第１端部及び前記第４端部は、前記第１方向と交差する方向に沿う、請求項９記載の発光装置。
【請求項１１】
前記第２端部の少なくとも一部は、前記第２端部から前記第１端部への向きに凹状である、請求項９または１０に記載の発光装置。
【請求項１２】
前記第１発光モジュールは、第５端部と、第６端部と、を含み、
前記第５端部から前記第６端部への方向は、前記第１方向と交差する第２方向に沿い、
前記複数の第２発光モジュールの前記１つは、第７端部と、第８端部と、を含み、
前記第７端部から前記第５端部への方向は、前記第１方向に沿い、
前記第８端部から前記第６端部の少なくとも一部への方向は、前記第１方向に沿い、
前記第６端部は、第１部分と第２部分とを含み、前記第１部分の前記第１方向における位置は、前記第２部分の前記第１方向における位置と、前記第８端部の前記第１方向における位置と、の間にあり、
前記第２部分の少なくとも一部と、前記第５端部との間の前記第２方向に沿う距離は、前記第１部分と前記第５端部との間の前記第２方向に沿う距離よりも短い、請求項９または１０に記載の発光装置。
【請求項１３】
前記第５端部、前記第７端部及び前記第８端部は、前記第１方向に沿い、前記第２部分の前記少なくとも一部は、前記第１方向に対して傾斜している、請求項１２記載の発光装置。
【請求項１４】
前記複数の発光素子を含む発光モジュールと、
前記複数の発光素子と電気的に接続された回路部と、
を備え、
前記回路部は、前記複数の発光素子の少なくとも２つが並列に電気的に接続された第１状態と、前記複数の発光素子の前記少なくとも２つが直列に電気的に接続された第２状態と、を切り替える、発光装置。
【請求項１５】
前記回路部は、電源部と、切替部と、を含み、
前記複数の発光素子は、第１〜第４発光素子を含み、
前記切替部は、前記第１状態において、前記第１〜前記第４発光素子を前記電源部と並列に接続し、
前記切替部は、前記第２状態において、前記第１発光素子と前記第２発光素子とを直列に接続し、前記第３発光素子と前記第４発光素子とを直列に接続し、前記第１発光素子及び前記第２発光素子を含む群と、前記第３発光素子及び前記第４発光素子を含む群と、を並列に前記電源部と電気的に接続する、請求項１４記載の発光装置。
【発明の詳細な説明】
【技術分野】
【０００１】
本発明は、発光装置に関する。
【背景技術】
【０００２】
発光装置が、例えば、表示装置用のバックライトなどに用いられている。複数の実装基板が組み合わされた発光装置が提案されている。より多機能の発光装置が望まれる。
【先行技術文献】
【特許文献】
【０００３】
【特許文献１】国際公開第２０１１／００４６２５号
【発明の概要】
【発明が解決しようとする課題】
【０００４】
本発明は、より多機能の発光装置を提供する。
【課題を解決するための手段】
【０００５】
本発明の一態様によれば、発光装置は、第１発光モジュール、及び、複数の第２発光モジュールを含む。前記第１発光モジュールは、第１方向に沿う第１辺と、前記第１方向に沿う第２辺と、を含む。前記第１辺から前記第２辺への方向は、前記第１方向と交差する第２方向に沿う。前記複数の第２発光モジュールは、前記第２方向に沿って並ぶ。前記複数の第２発光モジュールを含む第１発光領域から前記第１発光モジュールへの方向は、前記第１方向に沿う。前記第１発光領域は、前記第１方向に沿う第３辺、及び、前記第１方向に沿う第４辺を含む。前記第３辺から前記第１辺への方向は前記第１方向に沿う。前記第４辺から前記第２辺への方向は、前記第１方向に沿う。  
本発明の別の一態様によれば、発光装置は、第１発光モジュールと、第１方向に沿って並ぶ複数の第２発光モジュールを含む群と、を含む。前記第１発光モジュールは前記群の端に設けられる。前記群から前記第１発光モジュールへの方向は、前記第１方向に沿う。前記第１発光モジュールの形状は、前記複数の第２発光モジュールのそれぞれの形状とは異なる。  
本発明の別の一態様によれば、発光装置は、前記複数の発光素子を含む発光モジュールと、前記複数の発光素子と電気的に接続された回路部と、を含む。前記回路部は、前記複数の発光素子の少なくとも２つが並列に電気的に接続された第１状態と、前記複数の発光素子の前記少なくとも２つが直列に電気的に接続された第２状態と、を切り替える。
【発明の効果】
【０００６】
本発明の一態様によれば、より多機能の発光装置が提供される。
【図面の簡単な説明】
【０００７】
【図１】図１は、第１実施形態に係る発光装置を例示する模式的平面図である。
【図２】図２は、第１実施形態に係る発光装置の応用例を示す模式図である。
【図３】図３は、第１実施形態に係る発光装置を例示する模式的平面図である。
【図４】図４は、第１実施形態に係る発光装置を例示する模式的平面図である。
【図５】図５は、第１実施形態に係る発光装置を例示する模式的平面図である。
【図６】図６は、第１実施形態に係る発光装置を例示する模式的平面図である。
【図７】図７は、第１実施形態に係る発光装置の一部を例示する模式的平面図である。
【図８】図８は、第１実施形態に係る発光装置の一部を例示する模式的平面図である。
【図９】図９は、第１実施形態に係る発光装置を例示する模式的平面図である。
【図１０】図１０は、第１実施形態に係る発光装置を例示する模式的平面図である。
【図１１】図１１は、第１実施形態に係る発光装置を例示する模式的平面図である。
【図１２】図１２は、第１実施形態に係る発光装置を例示する模式的平面図である。
【図１３】図１３は、第１実施形態に係る発光装置を例示する模式的平面図である。
【図１４】図１４は、第１実施形態に係る発光装置を例示する模式的平面図である。
【図１５】図１５は、第１実施形態に係る発光装置を例示する模式的平面図である。
【図１６】図１６は、第１実施形態に係る発光装置を例示する模式的平面図である。
【図１７】図１７は、第１実施形態に係る発光装置を例示する模式的平面図である。
【図１８】図１８は、第１実施形態に係る発光装置を例示する模式的平面図である。
【図１９】図１９は、第１実施形態に係る発光装置を例示する模式的平面図である。
【図２０】図２０は、第１実施形態に係る発光装置の応用例を示す模式図である。
【図２１】図２１は、第１実施形態に係る発光装置を例示する模式的平面図である。
【図２２】図２２は、第１実施形態に係る発光装置を例示する模式的平面図である。
【図２３】図２３は、第２実施形態に係る発光装置を例示する模式的平面図である。
【図２４】図２４は、第２実施形態に係る発光装置を例示する模式的平面図である。
【図２５】図２５は、第２実施形態に係る発光装置を例示する模式的平面図である。
【図２６】図２６は、第２実施形態に係る発光装置を例示する模式的平面図である。
【図２７】図２７は、第２実施形態に係る発光装置を例示する模式的平面図である。
【図２８】図２８は、第２実施形態に係る発光装置を例示する模式的平面図である。
【図２９】図２９は、第２実施形態に係る発光装置の一部を例示する模式的平面図である。
【図３０】図３０は、第３実施形態に係る発光装置を例示する模式図である。
【図３１】図３１は、第３実施形態に係る発光装置を例示する模式図である。
【図３２】図３２は、第３実施形態に係る発光装置を例示する模式図である。
【図３３】図３３は、第３実施形態に係る発光装置を例示する模式図である。
【発明を実施するための形態】
【０００８】
以下に、本発明の各実施の形態について図面を参照しつつ説明する。  
なお、図面は模式的または概念的なものであり、各部分の厚さと幅との関係、部分間の大きさの比率などは、必ずしも現実のものと同一とは限らない。また、同じ部分を表す場合であっても、図面により互いの寸法や比率が異なって表される場合もある。  
なお、本願明細書において、既出の図に関して前述したものと同様の要素には同一の符号を付して詳細な説明は適宜省略する。
【０００９】
（第１実施形態）  
図１は、第１実施形態に係る発光装置を例示する模式的平面図である。  
図１に示すように、実施形態に係る発光装置１１０は、第１発光モジュール１１と、複数の第２発光モジュール１２と、を含む。
【００１０】
１つの例において、上記の発光モジュールは、１つの平面（例えばＸ−Ｙ平面）内に並べられる。上記の発光モジュールにより、発光装置１１０の発光面１０ＥＦが形成される。実施形態において、発光面１０ＥＦは、曲面でも良い。以下では、発光面１０ＥＦが平面である場合について説明する。
【００１１】
Ｘ−Ｙ平面内の１つの方向をＹ軸方向とする。Ｘ−Ｙ平面に沿いＹ軸方向に対して垂直な方向をＸ軸方向とする。Ｘ−Ｙ平面に対して垂直な方向をＺ軸方向とする。
【００１２】
この例では、複数の第１発光モジュール１１が設けられている。この例では、複数の第１発光モジュール１１は、Ｘ軸方向及びＹ軸方向に沿って並ぶ。
【００１３】
複数の第２発光モジュール１２の１つのサイズは、第１発光モジュール１１の１つのサイズよりも小さい。サイズの例については、後述する。
【００１４】
この例では、第１発光モジュール１１は、実質的に矩形状である。複数の第２発光モジュール１２のそれぞれは、実質的に矩形状である。矩形は、長方形を含む。長方形は、正方形を含む。これらの発光モジュールの形状の例については、後述する。
【００１５】
図１の例では、第１発光モジュール１１、及び、複数の第２発光モジュール１２が矩形状であり、発光装置１１０の発光面１０ＥＦの形状は、実質的に矩形状である。
【００１６】
実施形態において、第１発光モジュール１１、及び、複数の第２発光モジュール１２の形状が、平行四辺形状または台形状などでも良い。この場合、発光装置１１０の発光面１０ＥＦの形状は、実質的に矩形状または平行四辺形状または台形状である。
【００１７】
後述するように、第１発光モジュール１１、及び、複数の第２発光モジュール１２は、発光素子を含む。発光素子から光が出射する。発光素子の例については、後述する。
【００１８】
発光素子から出射した光が、第１発光モジュール１１、及び、複数の第２発光モジュール１２から出射する。これにより、発光装置１１０の発光面１０ＥＦから光が出射する。
【００１９】
図２は、第１実施形態に係る発光装置の応用例を示す模式図である。  
図２に示すように、表示装置３１０において、表示パネル２１０が、発光装置１１０と重ねられる。表示パネル２１０は、例えば、液晶パネルである。表示パネル２１０は、光のスイッチ機能を有する。発光装置１１０の発光面１０ＥＦから出射した光が、表示パネル２１０に入射する。表示パネル２１０により、例えば、光の透過率が制御され、所望の表示パターンが得られる。表示パネル２１０と発光装置１１０との間に光学シート（図示しない）が設けられても良い。光学シートは、例えば、拡散シート、プリズムシート及びレンチキュラーシートの少なくともいずれかを含む。光学シートは、発光装置１１０に含まれても良い。図１は、図２の矢印方向ＡＲからみた発光装置１１０の平面図に対応する。
【００２０】
表示パネル２１０において、光の透過率が高いと、明状態が得られる。透過率が低いと、暗状態が得られる。暗状態は、例えば、「黒」の表示に対応する。実用的な表示パネル２１０において、透過率が低い状態においても、透過率は０ではないことが多い。このため、「黒」のパターンが、「灰色」に見える場合がある。例えば、表示パネル２１０の視認時の環境が暗い場合（例えば、夜の自動車内など）においてはこの現象が強調される。このため、所望の表示が得ることが困難な場合がある。
【００２１】
一方、表示パネル２１０が種々のパターンの表示が可能な場合においても、表示パネル２１０の一部の領域に、特定のパターンが表示される場合がある。１つの例では、表示パネル２１０の外縁の近傍に、「タスクバー」などの特定の表示パターンが固定的に表示される場合がある。別の例では、起動時またはスタンバイ時などに、特定の表示パターンが特定の位置に表示される場合がある。このような場合、これらの特定の表示パターンに含まれる「黒を意図した領域」が、「灰色」ではなく、「所望の黒の状態」に表示されることが望ましい。
【００２２】
このような要求に対して、バックライトとして用いられる発光装置の発光面１０ＥＦを複数の領域に分けて、複数の領域の発光状態を独立して制御する方法が考えられる。これにより、所望の場所の光量を局所的に低減して、その場所で「所望の黒の状態」が得られる。
【００２３】
発光装置の発光面１０ＥＦを複数の領域に分ける場合において、１種類のサイズ（及び形状）の複数の発光モジュールを用いる参考例が考えられる。この場合、例えば、Ｎ×Ｍ個（Ｎ及びＭは、２以上の整数）の発光モジュールにより発光面１０ＥＦが形成される。この参考例においては、例えば、Ｎ×Ｍ個の発光モジュールのそれぞれに対応する配線が設けられ、配線と駆動回路とが接続される。この参考例においては、配線の数が多く、さらに、駆動回路に含まれる出力部の数が多くなる。従って、部品が多くなる。コストが上昇する。生産性の向上が困難になる。
【００２４】
実施形態においては、例えば、複数のサイズの発光モジュールにより、発光面１０ＥＦが形成される。例えば、大きいサイズの発光モジュールの１辺の長さは、小さいサイズの発光モジュールの１辺の長さの、２以上の整数倍である。１つの例において、大きいサイズの発光モジュールの１辺の長さが、小さいサイズの発光モジュールの１辺の長さの２倍であるとする。このとき、大きいサイズの発光モジュールは、小さいサイズの発光モジュールのサイズの４倍（２×２倍）の大きさを有する。小さいサイズの４つの発光モジュール用の４つの配線は、大きいサイズの１つの発光モジュール用の１つの配線に置き変えられる。そして、駆動回路の４つの出力部は、１つの出力部により置き換えられる。
【００２５】
このように、実施形態に係る発光装置１１０においては、発光面１０ＥＦを複数の領域に分けて、複数の領域の光量を独立して制御する構成を、簡単な構造により提供できる。部品の数を低減できる。コストを抑制できる。高い生産性が得られる。
【００２６】
実施形態において、上記の第１発光モジュール１１は、大きいサイズの発光モジュールの１つの例である。上記の複数の第２発光モジュール１２のそれぞれは、小さいサイズの発光モジュールの１つの例である。
【００２７】
実施形態において、例えば、第１発光モジュール１１の形状は、第２発光モジュール１２の形状の、２以上の整数倍の相似形でも良い。
【００２８】
図１に示す例では、第１発光モジュール１１の大きさは、４つの第２発光モジュール１２の大きさに対応する。図１に例示すように、１つの第２発光モジュールの１つの辺を含む直線は、第１発光モジュール１１の辺と実質的に重なる。これにより、第１発光モジュール１１及び第２発光モジュール１２により発光面１０ＥＦを形成したときに、発光面１０ＥＦの外形は矩形状にできる。発光面１０ＥＦの矩形状の外形において、例えば、１つの辺は、例えば、第１方向Ｄ１に沿い、別の辺は、第２方向Ｄ２に沿う。
【００２９】
図１に示すように、複数の第２発光モジュール１２を含む領域の１つを第１発光領域２１（図１の破線）とする。第１発光領域２１の辺を含む直線は、第１発光モジュール１１の辺と実質的に重なる。
【００３０】
以下、説明を簡単にするために、図中の上下方向をＹ軸方向とする。左右方向をＸ軸方向とする。
【００３１】
１つの例として、１つの第１発光モジュール１１と、その第１発光モジュール１１の下側の第１発光領域２１に着目する。この第１発光領域２１は、複数の第２発光モジュール１２を含む。以下、この第１発光モジュール１１、及び、この第１発光領域２１について説明する。
【００３２】
図３は、第１実施形態に係る発光装置を例示する模式的平面図である。  
図３においては、発光装置１１０に含まれる一部の要素が、抜き出されて図示されている。
【００３３】
図３に示すように、第１発光モジュール１１は、第１辺１１ａ及び第２辺１１ｂを含む。第１辺１１ａ及び第２辺１１ｂは、第１方向Ｄ１に沿う。第１方向Ｄ１は、例えば、Ｙ軸方向である。第１辺１１ａから第２辺１１ｂへの方向は、第２方向Ｄ２に沿う。第２方向Ｄ２は、第１方向Ｄ１と交差する。第２方向Ｄ２は、第１方向Ｄ１に対して傾斜しても良い。以下では、第２方向Ｄ２は、第１方向Ｄ１に対して実質的に垂直とする。第２方向Ｄ２は、Ｘ軸方向に対応する。
【００３４】
複数の第２発光モジュール１２は、第２方向Ｄ２に沿って並ぶ。複数の第２発光モジュール１２から第１発光モジュール１１への方向は、第１方向Ｄ１に沿う。
【００３５】
第１発光領域２１は、この複数の第２発光モジュール１２を含む。第１発光領域２１から第１発光モジュール１１への方向は、第１方向Ｄ１に沿う。第１発光領域２１は、第３辺２１ｃ及び第４辺２１ｄを含む。第３辺２１ｃ及び第４辺２１ｄは、第１方向Ｄ１に沿う。
【００３６】
第３辺２１ｃから第１辺１１ａへの方向は、第１方向Ｄ１に沿う。第４辺２１ｄから第２辺１１ｂへの方向は、第１方向Ｄ１に沿う。
【００３７】
例えば、第３辺２１ｃを含む直線は、第１辺１１ａと実質的に重なる。第４辺２１ｄを含む直線は、第２辺１１ｂと実質的に重なる。
【００３８】
このような構成により、第１発光モジュール１１及び複数の第２発光モジュール１２により発光面１０ＥＦを形成したときに、発光面１０ＥＦの左右の端部（第２方向Ｄ２における端部）は、実質的に、第１方向Ｄ１に沿う直線となる（図１参照）。例えば、発光装置１１０の発光面１０ＥＦは、矩形状となる。
【００３９】
実施形態によれば、所望の発光面１０ＥＦが、簡単な構成により得られる。サイズの異なる発光モジュールが用いられるため、簡単な構成により、複数の領域の発光状態を制御できる。これにより、所望の発光状態が容易に得られる。例えば、表示装置に応用したときに、特定の場所における「所望の黒の状態」が、簡単な構成により得られる。実施形態によれば、より多機能の発光装置を簡単な構成により提供できる。
【００４０】
図３においては、分かりやすくするために、第１発光モジュール１１と、第２発光モジュール１２と、は、互いに離されて描かれている。第１発光モジュール１１と、第２発光モジュール１２と、は、互いに接しても良い。第１発光モジュール１１と、第２発光モジュール１２と、の間に、僅かな隙間が設けられても良い。
【００４１】
図３において、複数の第２発光モジュール１２が互いに接している。実施形態において、複数の第２発光モジュール１２の間に僅かな間隙が設けられても良い。
【００４２】
図３において、分かりやすくするために、第１発光領域２１の外形を示す破線は、第２発光モジュール１２の外形を示す実線からシフトして描かれている。第１発光領域２１の外縁は、複数の第２発光モジュール１２の外縁により形成される。例えば、第１発光領域２１の第３辺２１ｃは、１つの第２発光モジュール１２の１つの辺に対応する。例えば、第１発光領域２１の第４辺２１ｄは、別の１つの第２発光モジュール１２の１つの辺に対応する。
【００４３】
以下の説明では、第１発光モジュール１１と第２発光モジュール１２との間の間隙が無視され、複数の第２発光モジュール１２の間の間隙が無視される。
【００４４】
例えば、第１辺１１ａから第２辺１１ｂへの第２方向Ｄ２に沿う距離を距離Ｌｘ１とする。この距離Ｌｘ１は、第１発光モジュール１１の第２方向Ｄ２に沿う長さ（サイズ）に対応する。複数の第２発光モジュール１２の１つの第２方向Ｄ２に沿う長さを長さＬｘ２とする。長さＬｘ２は、複数の第２発光モジュール１２の１つに含まれる２つの辺（第２方向Ｄ２において互いに離れ第１方向Ｄ１に沿う２つの辺）の間の第２方向Ｄ２に沿う距離に対応する。距離Ｌｘ１は、複数の第２発光モジュールのそれぞれの第２方向Ｄ２に沿う長さＬｘ２の和と、実質的に同じである。
【００４５】
例えば、複数の第２発光モジュール１２において、第２方向Ｄ２に沿う長さは、互いに同じであり、上記の長さＬｘ２である。距離Ｌｘ１は、長さＬｘ２と、複数の第２発光モジュール１２の数と、の積に実質的に対応する。例えば、距離Ｌｘ１は、長さＬｘ２の、２以上の整数倍である。例えば、距離Ｌｘ１は、長さＬｘ２の、偶数倍でも良い。
【００４６】
図４は、第１実施形態に係る発光装置を例示する模式的平面図である。  
図４においては、発光装置１１０に含まれる一部の要素が、抜き出されて図示されている。
【００４７】
図４に示すように、第１発光領域２１は、複数の群２１Ｇを含む。複数の群２１Ｇの１つは、複数の第２発光モジュール１２を含む。１つの群２１Ｇに含まれる複数の第２発光モジュール１２は、第２方向Ｄ２に沿って並ぶ。複数の群２１Ｇは、第１方向Ｄ１に沿って並ぶ。後述するように、複数の群２１Ｇの１つと、複数の群２１Ｇの別の１つとの間に、第１発光モジュール１１が設けられても良い。複数の第２発光モジュール１２の間に、第１発光モジュール１１が設けられても良い。
【００４８】
図１に示すように、第１発光モジュール１１の左右方向（図１の左右方向）に、複数の第２発光モジュール１２がさらに設けられても良い。
【００４９】
図５は、第１実施形態に係る発光装置を例示する模式的平面図である。  
図５においては、発光装置１１０に含まれる一部の要素が、抜き出されて図示されている。
【００５０】
図５に示すように、発光装置１１０は、第１発光領域２１に加えて、第２発光領域２２をさらに含んでも良い。第２発光領域２２は、第１方向Ｄ１に沿って並ぶ別の複数の第２発光モジュール１２を含む。第１発光モジュール１１から第２発光領域２２への方向は、第２方向Ｄ２に沿う。
【００５１】
第１発光モジュール１１は、第５辺１１ｅ及び第６辺１１ｆを含む。第５辺１１ｅ及び第６辺１１ｆは、第２方向Ｄ２に沿う。第５辺１１ｅから第６辺１１ｆへの方向は、第１方向Ｄ１に沿う。
【００５２】
一方、第２発光領域２２は、第７辺２２ｇ及び第８辺２２ｈを含む。第７辺２２ｇ及び第８辺２２ｈは、第２方向Ｄ２に沿う。第７辺２２ｇから第８辺２２ｈへの方向は、第１方向Ｄ１に沿う。
【００５３】
第５辺１１ｅから第７辺２２ｇへの方向は、第２方向Ｄ２に沿う。第６辺１１ｆから第８辺２２ｈへの方向は、第２方向Ｄ２に沿う。
【００５４】
例えば、第７辺２２ｇを含む直線は、第５辺１１ｅと実質的に重なる。第８辺２２ｈを含む直線は、第６辺１１ｆと実質的に重なる。
【００５５】
このような構成により、第１発光モジュール１１及び第２発光モジュール１２により発光面１０ＥＦを形成したときに、発光面１０ＥＦの上下の端部（第１方向Ｄ１における端部）は、実質的に、第２方向Ｄ２に沿う直線となる（図１参照）。例えば、発光装置１１０の発光面１０ＥＦは、１つまたは複数の第１発光モジュール１１、及び、複数の第２発光モジュール１２により形成された実質的な矩形状となる。
【００５６】
実施形態によれば、所望の発光面１０ＥＦが、簡単な構成により得られる。サイズの異なる発光モジュールが用いられるため、複数の領域の発光状態を、簡単な構成により制御できる。
【００５７】
図６は、第１実施形態に係る発光装置を例示する模式的平面図である。  
図６においては、発光装置１１０に含まれる一部の要素が、抜き出されて図示されている。
【００５８】
図６に示すように、第２発光領域２２は、複数の群２２Ｇを含んでも良い。この複数の群２２Ｇの１つは、複数の第２発光モジュール１２を含む。複数の群２２Ｇは、第２方向Ｄ２に沿って並ぶ。複数の群２２Ｇの間に、第１発光モジュール１１が設けられても良い。
【００５９】
図６に示すように、発光装置１１０は、第３発光領域２３をさらに含んでも良い。第３発光領域２３は、別の複数の第２発光モジュール１２を含む。例えば、第１発光領域２１から第３発光領域２３への方向は、第２方向Ｄ２に沿う、例えば、第３発光領域２３から第２発光領域２２への方向は、第１方向Ｄ１に沿う。
【００６０】
第１発光領域２１に含まれる複数の第２発光モジュール１２、及び、第３発光領域２３に含まれる別の複数の第２発光モジュール１２は、第２方向Ｄ２に沿って並ぶ。第３発光領域２３に含まれる複数の第２発光モジュール１２、及び、第２発光領域２２に含まれる別の複数の第２発光モジュール１２は、第１方向Ｄ１に沿って並ぶ。
【００６１】
このような構成により、例えば、矩形状の発光面１０ＥＦが得られる。
【００６２】
以下、第１発光モジュール１１、第２発光モジュール１２及び発光面１０ＥＦの形状の例について説明する。
【００６３】
図７は、第１実施形態に係る発光装置の一部を例示する模式的平面図である。  
図７には、第１発光モジュール１１の平面形状の２つの例が示されている。
【００６４】
図７に示すように、第１発光モジュール１１は、第１辺１１ａ、第２辺１１ｂ、第５辺１１ｅ及び第６辺１１ｆを含む。既に説明したように、第１辺１１ａ及び第２辺１１ｂは、第１方向Ｄ１に沿う。第５辺１１ｅ及び第６辺１１ｆは、第２方向Ｄ２に沿う。第１辺１１ａから第２辺１１ｂへの方向は、第２方向Ｄ２に沿う。第５辺１１ｅから第６辺１１ｆへの方向は、第１方向Ｄ１に沿う。
【００６５】
これらの辺の間のコーナ部１１ｐは、第１方向Ｄ１及び第２方向Ｄ２に対して傾斜しても良い。図７の左側の例では、第１発光モジュール１１は、実質的に八角形状である。図７の右側の例では、コーナ部１１ｐは、カーブしている。実施形態において、第１発光モジュール１１の形状は、種々の変形が可能である。
【００６６】
図８は、第１実施形態に係る発光装置の一部を例示する模式的平面図である。  
図８には、第２発光モジュール１２の平面形状の２つの例が示されている。
【００６７】
図８に示すように、第２発光モジュール１２は、辺１２ａ、辺１２ｂ、辺１２ｃ及び辺１２ｄを含む。辺１２ａ及び辺１２ｂは、第１方向Ｄ１に沿う。辺１２ｃ及び辺１２ｄは、第２方向Ｄ２に沿う。辺１２ａから辺１２ｂへの方向は、第２方向Ｄ２に沿う。辺１２ｃから辺１２ｄへの方向は、第１方向Ｄ１に沿う。
【００６８】
これらの辺の間のコーナ部１２ｐは、第１方向Ｄ１及び第２方向Ｄ２に対して傾斜しても良い。図８の左側の例では、第２発光モジュール１２は、実質的に八角形状である。図８の右側の例では、コーナ部１２ｐは、カーブしている。実施形態において、第２発光モジュール１２の形状は、種々の変形が可能である。
【００６９】
図９及び図１０は、第１実施形態に係る発光装置を例示する模式的平面図である。  
これらの図は、発光装置の発光面１０ＥＦの平面形状を例示している。  
図９に示すように、発光装置１１１において、発光面１０ＥＦのコーナ部ｃｐは、発光面１０ＥＦの辺に対して傾斜している。発光面１０ＥＦは、実質的に八角形状である。
【００７０】
図１０に示すように、発光装置１１１ａにおいて、発光面１０ＥＦのコーナ部ｃｐは、カーブしている。実施形態において、発光面１０ＥＦの形状は、種々の変形が可能である。後述するように、発光面１０ＥＦのコーナ部ｃｐに、コーナ部用の形状を有する発光モジュールが設けられても良い。
【００７１】
図１１は、第１実施形態に係る発光装置を例示する模式的平面図である。  
図１１に示すように、発光装置１１２においては、４つの第２発光モジュール１２により、第１発光領域２１が形成される。例えば、第１発光モジュール１１の第２方向Ｄ２に沿う長さは、第２発光モジュール１２の１つの第２方向Ｄ２に沿う長さの４倍である。例えば、第１発光モジュール１１の第１方向Ｄ１に沿う長さは、第２発光モジュール１２の１つの第１方向Ｄ１に沿う長さの４倍である。
【００７２】
例えば、第１発光モジュール１１の第２方向Ｄ２に沿う長さの、第２発光モジュール１２の１つの第２方向Ｄ２に沿う長さに対する比は、２の倍数でも良い。例えば、第１発光モジュール１１の第１方向Ｄ１に沿う長さの、第２発光モジュール１２の１つの第１方向Ｄ１に沿う長さに対する比は、２の倍数でも良い。設計が容易になる。
【００７３】
図１２は、第１実施形態に係る発光装置を例示する模式的平面図である。  
図１２に示すように、発光装置１１３においては、第１発光モジュール１１の第２方向Ｄ２に沿う長さの、第２発光モジュール１２の１つの第２方向Ｄ２に沿う長さに対する比は、４である。一方、第１発光モジュール１１の第１方向Ｄ１に沿う長さの、第２発光モジュール１２の１つの第１方向Ｄ１に沿う長さの２倍である。
【００７４】
このように、第１発光モジュール１１の第２方向Ｄ２に沿う長さの、第２発光モジュール１２の１つの第２方向Ｄ２に沿う長さに対する第２比は、第１発光モジュール１１の第１方向Ｄ１に沿う長さの、第２発光モジュール１２の１つの第１方向Ｄ１に沿う長さに対する第１比と異なっても良い。
【００７５】
図１３は、第１実施形態に係る発光装置を例示する模式的平面図である。  
図１３に示すように、発光装置１１４においては、第２発光モジュール１２の第１方向Ｄ１に沿う長さは、第２発光モジュール１２の第２方向Ｄ２に沿う長さと異なっても良い。この場合に、第１発光モジュール１１において、第１方向Ｄ１に沿う長さは、第２方向Ｄ２に沿う長さと同じにすることができる。例えば、第２発光モジュール１２の第２方向Ｄ２に沿う長さの、第２発光モジュール１２の第１方向Ｄ１に沿う長さに対する比は、２以上の整数でも良い。例えば、第２発光モジュール１２の第１方向Ｄ１に沿う長さの、第２発光モジュール１２の第２方向Ｄ２に沿う長さに対する比は、２以上の整数でも良い。
【００７６】
以下、第１発光モジュール１１及び第２発光モジュール１２に設けられる発光素子の例について説明する。
【００７７】
図１４は、第１実施形態に係る発光装置を例示する模式的平面図である。  
図１４に示すように、発光装置１１５において、第１発光モジュール１１は、第１発光素子１１Ｅを含む。複数の第２発光モジュール１２の１つ（複数の第２発光モジュール１２のそれぞれ）は、第２発光素子１２Ｅを含む。これらの発光素子から出射する光が、発光面１０ＥＦから出射する光となる。
【００７８】
図１４に示す例では、第１発光モジュール１１に複数の第１発光素子１１Ｅが設けられる。例えば、複数の第１発光素子１１Ｅのピッチは、複数の第２発光素子１２Ｅのピッチと実質的に同じである。ピッチは、位置の繰り返しの単位の長さである。ピッチが実質的に同じであることにより、発光面１０ＥＦにおいて、明るさの面内均一性が高くできる。
【００７９】
例えば、複数の第１発光素子１１Ｅの第１方向Ｄ１に沿うピッチをピッチｐｙ１とする。ピッチｐｙ１は、「複数の第１発光素子１１Ｅの１つ」の第１方向Ｄ１における位置と、その「複数の第１発光素子１１Ｅの１つ」の第１方向Ｄ１における隣の「複数の第１発光素子１１Ｅの別の１つ」の第１方向Ｄ１における位置と、の間の第１方向Ｄ１に沿う長さに対応する。
【００８０】
例えば、複数の第１発光素子１１Ｅの第２方向Ｄ２に沿うピッチをピッチｐｘ１とする。ピッチｐｘ１は、「複数の第１発光素子１１Ｅの１つ」の第２方向Ｄ２における位置と、その「複数の第１発光素子１１Ｅの１つ」の第２方向Ｄ２における隣の「複数の第１発光素子１１Ｅの別の１つ」の第２方向Ｄ２における位置と、の間の第２方向Ｄ２に沿う長さに対応する。
【００８１】
例えば、複数の第２発光素子１２Ｅの第１方向Ｄ１に沿うピッチをピッチｐｙ２とする。ピッチｐｙ２は、「複数の第２発光素子１２Ｅの１つ」の第１方向Ｄ１における位置と、その「複数の第２発光素子１２Ｅの１つ」の第１方向Ｄ１における隣の「複数の第２発光素子１２Ｅの別の１つ」の第１方向Ｄ１における位置と、の間の第１方向Ｄ１に沿う長さに対応する。
【００８２】
例えば、複数の第２発光素子１２Ｅの第２方向Ｄ２に沿うピッチをピッチｐｘ２とする。ピッチｐｘ２は、「複数の第２発光素子１２Ｅの１つ」の第２方向Ｄ２における位置と、その「複数の第２発光素子１２Ｅの１つ」の第２方向Ｄ２における隣の「複数の第２発光素子１２Ｅの別の１つ」の第２方向Ｄ２における位置と、の間の第２方向Ｄ２に沿う長さに対応する。
【００８３】
「第１方向Ｄ１における発光素子の位置」は、例えば、発光素子の第１方向Ｄ１における中心の第１方向Ｄ１における位置である。「第２方向Ｄ２における発光素子の位置」は、例えば、発光素子の第２方向Ｄ２における中心の第２方向Ｄ２における位置である。
【００８４】
発光装置１１５においては、ピッチｐｙ１は、ピッチｐｙ２と実質的に同じである。ピッチｐｙ１は、例えば、ピッチｐｙ２の０．９倍以上１．１倍以下である。ピッチｐｘ１は、ピッチｐｘ２と実質的に同じである。ピッチｐｘ１は、例えば、ピッチｐｘ２の０．９倍以上１．１倍以下である。
【００８５】
実施形態に係る１つの例において、ピッチｐｘ１は、ピッチｐｙ１と同じである。別の例において、ピッチｐｘ１は、ピッチｐｙ１と異なる。実施形態に係る１つの例において、ピッチｐｘ２は、ピッチｐｙ２と同じである。別の例において、ピッチｐｘ２は、ピッチｐｙ２と異なる。
【００８６】
発光装置１１５の例では、複数の第２発光モジュール１２の１つに１つの第２発光素子１２Ｅが設けられている。この場合、ピッチｐｙ２は、複数の第２発光モジュール１２の第１方向Ｄ１におけるピッチに対応する。ピッチｐｘ２は、複数の第２発光モジュール１２の第２方向Ｄ２におけるピッチに対応する。
【００８７】
図１５は、第１実施形態に係る発光装置を例示する模式的平面図である。  
図１５に示すように、発光装置１１５ａにおいて、第１発光モジュール１１に複数の第１発光素子１１Ｅが設けられる。この例では、複数の第１発光素子１１Ｅは、４×４のマトリクス状に設けられている。
【００８８】
この例では、第１発光素子１１Ｅの第１方向Ｄ１におけるピッチｐｙ１は、複数の第２発光モジュール１２の第１方向Ｄ１におけるピッチｐＹ２と実質的に同じである。第１発光素子１１Ｅの第２方向Ｄ２におけるピッチｐｘ１は、複数の第２発光モジュール１２の第２方向Ｄ２におけるピッチｐＸ２と実質的に同じである。
【００８９】
複数の発光モジュール１２の第１方向Ｄ１におけるピッチｐＹ２は、例えば、「複数の発光モジュール１２の１つ」の第１方向Ｄ１における中心と、その「複数の発光モジュール１２の１つ」の第１方向Ｄ１における隣の「複数の発光モジュール１２の別の１つ」の第１方向Ｄ１における中心と、の間の第１方向Ｄ１に沿う距離に対応する。
【００９０】
複数の発光モジュール１２の第２方向Ｄ２におけるピッチｐＸ２は、例えば、「複数の発光モジュール１２の１つ」の第２方向Ｄ２における中心と、その「複数の発光モジュール１２の１つ」の第２方向Ｄ２における隣の「複数の発光モジュール１２の別の１つ」の第２方向Ｄ２における中心と、の間の第２方向Ｄ２に沿う距離に対応する。
【００９１】
図１６は、第１実施形態に係る発光装置を例示する模式的平面図である。  
図１６に示すように、発光装置１１５ｂにおいて、第１発光モジュール１１は、複数の第１発光素子１１Ｅを含む。複数の第２発光モジュール１２の１つは、複数の第２発光素子１２Ｅを含む。
【００９２】
複数の第１発光素子１１Ｅの第１方向Ｄ１に沿うピッチｐｙ１は、複数の第２発光素子１２Ｅの第１方向Ｄ１に沿うピッチｐｙ２と、実質的に同じである。複数の第１発光素子１１Ｅの第２方向Ｄ２に沿うピッチｐｘ１は、複数の第２発光素子１２Ｅの第２方向Ｄ２に沿うピッチｐｘ２と、実質的に同じである。このような構成により、発光面１０ＥＦにおいて、明るさの面内均一性が高くできる。
【００９３】
複数の第２発光モジュールに含まれる第２発光素子１２Ｅが実質的に同じピッチで並んでも良い。例えば、１つの第２発光モジュール１２の１つの辺と、第１方向Ｄ１においてその辺に最も近い第２発光素子１２Ｅの中心と、の間の距離ｄｙは、ピッチｐｙ２の１／２でも良い。例えば、１つの第２発光モジュール１２の１つの辺と、第２方向Ｄ２においてその辺に最も近い第２発光素子１２Ｅの中心と、の間の距離は、ピッチｐｘ２の１／２でも良い。
【００９４】
例えば、１つの第２発光モジュール１２に含まれる１つの第２発光素子１２Ｅの中心と、その１つの第２発光モジュール１２の隣の第２発光モジュール１２に含まれる１つの第２発光素子１２Ｅの中心と、の間の距離が、ピッチｐｙ２またはピッチｐｘ２と同じでも良い。
【００９５】
このような構成により、複数の第２発光モジュール１２において、複数の第２発光素子１２Ｅの間隔が一定になる。例えば、光の面内均一性が向上する。
【００９６】
図１７は、第１実施形態に係る発光装置を例示する模式的平面図である。  
図１７に示すように、発光装置１１６は、回路部７０を含む。回路部７０は、第１発光モジュール１１に含まれる第１発光素子１１Ｅと、配線１１ｗにより、電気的に接続される。回路部７０は、複数の第２発光モジュール１２のそれぞれに含まれる第２発光素子１２Ｅと、配線１２ｗにより、電気的に接続される。回路部７０から供給される電流により、第１発光素子１１Ｅ及び第２発光素子１２Ｅから光が出射する。
【００９７】
回路部７０は、第１発光素子１１Ｅに供給される電流（第１電流）と、第２発光素子１２Ｅに供給される電流（第２電流）と、を互いに独立して制御可能でも良い。例えば、回路部７０は、第１発光モジュールの単位面積当たりの明るさが第２発光モジュールの単位面積当たりの明るさと実質的に同じになるように、第１電流及び第２電流の少なくともいずれかを制御しても良い。発光面１０ＥＦにおける面内の明るさが均一化できる。
【００９８】
図１８は、第１実施形態に係る発光装置を例示する模式的平面図である。  
図１８に示すように、発光装置１１７においても、第１発光モジュール１１及び第２発光モジュール１２が設けられる。この例では、第１方向Ｄ１はＸ軸方向に対応し、第２方向Ｄ２はＹ軸方向に対応する。この例では、複数の第１発光モジュール１１の間に、第２発光モジュール１２が設けられている。
【００９９】
図１９は、第１実施形態に係る発光装置を例示する模式的平面図である。  
図１９に示すように、発光装置１１８においては、３種類のサイズの発光モジュールが設けられている。
【０１００】
この例では、第１発光モジュール１１の第２方向Ｄ２に沿う長さは、第２発光モジュール１２の第２方向Ｄ２に沿う長さの２倍である。前者は、後者の２以上の整数倍でも良い。第１発光モジュール１１の第１方向Ｄ１に沿う長さは、第２発光モジュール１２の第１方向Ｄ１に沿う長さの１以上の整数倍でも良い。
【０１０１】
この例では、第２発光モジュール１２の第２方向Ｄ２に沿う長さは、第３発光モジュール１３の第２方向Ｄ２に沿う長さの２倍である。前者は、後者の２以上の整数倍でも良い。第２発光モジュール１２の第１方向Ｄ１に沿う長さは、第３発光モジュール１３の第１方向Ｄ１に沿う長さの２倍である。前者は、後者の２以上の整数倍でも良い。
【０１０２】
第３発光モジュール１３を「第２発光モジュール」と見なしても良い。第２発光モジュール１２を「第１発光モジュール」と見なしても良い。
【０１０３】
図２０は、第１実施形態に係る発光装置の応用例を示す模式図である。  
図２０に示すように、例えば、表示パネル２１０が発光装置１１０と重ねられる。図２０に示す例では、起動時に、表示パネル２１０の特定の位置に特定の表示パターン（この例では、「ＡＢＣ」の表示２１５）が表示される。表示パターンの背景は、例えば、暗状態である。特定の文字または形状などが明状態で表示される。実施形態においては、この特定の明状態の領域を除く領域に対応する部分の光の強度が、この特定の明状態の領域に対応する部分の光の強度よりも低くされる。これにより、「所望の黒の状態」が得られ、所望の表示パターンが所望の状態で表示される。このような光の強度の制御は、回路部７０（例えば、図１７参照）により行われる。
【０１０４】
図２１及び図２２は、第１実施形態に係る発光装置を例示する模式的平面図である。  
図２１に示すように、発光装置１１８ａ及び１１８ｂにおいて、複数の第１発光モジュール１１及び複数の第２発光モジュール１２により、発光面１０ＥＦが形成される。発光面１０ＥＦは、矩形状（図１など参照）の他に、任意の形状を有しても良い。
【０１０５】
発光装置１１８ａ及び１１８ｂの例において、第１発光モジュール１１に含まれる第１方向Ｄ１に沿う１つの辺の長さは、実質的に、第２発光モジュール１２に含まれる第１方向Ｄ１に沿う１つの辺の長さの２以上の整数倍である。第１発光モジュール１１に含まれる第２方向Ｄ２に沿う１つの辺の長さは、実質的に、第２発光モジュール１２に含まれる第２方向Ｄ２に沿う１つの辺の長さの２以上の整数倍である。例えば、２種類の発光モジュールにより、種々の形状の発光面１０ＥＦが形成が形成できる。
【０１０６】
（第２実施形態）  
図２３は、第２実施形態に係る発光装置を例示する模式的平面図である。  
図２３に示すように、実施形態に係る発光装置１２０は、第１発光モジュール１１と、群１２Ｇと、を含む。群１２Ｇは、複数の第２発光モジュール１２を含む。
【０１０７】
複数の第２発光モジュール１２は、第１方向Ｄ１に沿って並ぶ。第１方向Ｄ１は、例えば、Ｙ軸方向である。
【０１０８】
第１発光モジュール１１は、上記の群１２Ｇの端に設けられる。群１２Ｇから第１発光モジュール１１への方向は、第１方向Ｄ１に沿う。
【０１０９】
図２３に示すように、第１発光モジュール１１の形状は、複数の第２発光モジュール１２のそれぞれの形状とは異なる。例えば、複数の第２発光モジュール１２のそれぞれの形状は、互いに同じであり、例えば、実質的に矩形状である。一方、群１２Ｇの列の端部に設けられる第１発光モジュール１１の形状が、第２発光モジュール１２の形状とは異なる。これにより、発光面１０ＥＦの全体の形状が実質的に矩形状である場合においても、発光面１０ＥＦの外縁の一部を任意の形状にできる。
【０１１０】
例えば、発光装置１２０の外縁に沿う位置には、スイッチまたはカメラなどの部品が設けられる場合がある。この部品に応じた形状が得られるように、発光面１０ＥＦの形状を所望の形状にできる。実施形態においては、発光面１０ＥＦの内側部分（中央部分）は、複数の第２発光モジュール１２により形成される。これにより、任意の大きさの発光面１０ＥＦが、簡単な構成により得られる。例えば、多様な製品デザインの要求に、容易に応えることができる。
【０１１１】
このように、実施形態によれば、発光面１０ＥＦの外縁を、簡単に所望の形状にできる。より多機能の発光装置が提供できる。
【０１１２】
例えば、図２３に示すように、第１発光モジュール１１は、第１端部ｅｐ１と、第２端部ｅｐ２と、を含む。第１端部ｅｐ１は、第１方向Ｄ１において、第２端部ｅｐ２と、上記の群１２Ｇとの間にある。複数の第２発光モジュール１２の１つは、第３端部ｅｐ３と、第４端部ｅｐ４と、を含む。第４端部ｅｐ４は、第１方向Ｄ１において、第３端部ｅｐ３と、第１発光モジュール１１との間にある。
【０１１３】
実施形態においては、第４端部ｅｐ４は、第１端部ｅｐ１に沿う。例えば、第１端部ｅｐ１及び第４端部ｅｐ４は、第１方向Ｄ１と交差する方向（この例では、第２方向Ｄ２）に沿う。第３端部ｅｐ３は、第１端部ｅｐ１と実質的に平行である。一方、第２端部ｅｐ２の形状は、第４端部ｅｐ４の形状とは異なる。この例では、第２端部ｅｐ２の少なくとも一部は、第２端部ｅｐ２から第１端部ｅｐ１への向きに凹状である。例えば、凹状の部分に対応する位置に、スイッチなどに部品が設けられても良い。第２端部ｅｐ２に、複数の凹状の部分が設けられても良い。
【０１１４】
第１発光モジュール１１は、発光面１０ＥＦのコーナ部に設けられても良い。以下、第１発光モジュール１１の別の例について、説明する。
【０１１５】
図２４は、第２実施形態に係る発光装置を例示する模式的平面図である。  
図２４に示すように、発光装置１２０において、発光面１０ＥＦのコーナ部に設けられた発光モジュールが、第１発光モジュール１１Ａと見なされても良い。この場合も、第１発光モジュール１１Ａは、複数の第２発光モジュール１２を含む群１２Ｇの端に設けられる。群１２Ｇから第１発光モジュール１１Ａへの方向は、第１方向Ｄ１に沿う。第１発光モジュール１１Ａの形状は、複数の第２発光モジュール１２のそれぞれの形状とは異なる。
【０１１６】
この例においても、第１発光モジュール１１Ａは、第１端部ｅｐ１及び第２端部ｅｐ２を含む。第１端部ｅｐ１は、第１方向Ｄ１において、第２端部ｅｐ２と群１２Ｇとの間にある。複数の第２発光モジュール１２の１つは、第３端部ｅｐ３及び第４端部ｅｐ４を含む。第４端部ｅｐ４は、第１方向Ｄ１において、第３端部ｅｐ３と第１発光モジュール１１Ａとの間にある。第４端部ｅｐ４は、第１端部ｅｐ１に沿う。第１端部ｅｐ１、第４端部ｅｐ４及び第３端部ｅｐ３は、第１方向Ｄ１と交差する方向（この例では、第２方向Ｄ２）に沿う。第２端部ｅｐ２の形状は、第４端部ｅｐ４の形状と異なる。例えば、第２端部ｅｐ２に含まれる直線部分の長さは、第４端部ｅｐ４に含まれる直線部分の長さよりも短い。
【０１１７】
例えば、第１発光モジュール１１Ａにおいては、第２方向Ｄ２における端部の形状が、第２発光モジュール１２の第２方向Ｄ２における端部の形状とは異なる。
【０１１８】
例えば、第１発光モジュール１１Ａは、第５端部ｅｐ５及び第６端部ｅｐ６を含む。第５端部ｅｐ５から第６端部ｅｐ６への方向は、第１方向Ｄ１と交差する第２方向Ｄ２に沿う。複数の第２発光モジュール１２の１つは、第７端部ｅｐ７及び第８端部ｅｐ８を含む。第７端部ｅｐ７から第５端部ｅｐ５への方向は、第１方向Ｄ１に沿う。第８端部ｅｐ８から第６端部の少なくとも一部への方向は、第１方向Ｄ１に沿う。
【０１１９】
この例では、第７端部ｅｐ７は、発光面１０ＥＦの内側に位置する端部である。第８端部ｅｐ８は、発光面１０ＥＦの外側に位置する端部である。第５端部ｅｐ５は、発光面１０ＥＦの内側に位置する端部である。第６端部ｅｐ６は、発光面１０ＥＦの外側に位置する端部である。第６端部ｅｐ６及び第２端部ｅｐ２は、発光面１０ＥＦのコーナ部に対応する。
【０１２０】
第６端部ｅｐ６は、第１部分１１ｐａ及び第２部分１１ｐｂを含む。第１部分１１ｐａの第１方向Ｄ１における位置は、第２部分１１ｐｂの第１方向Ｄ１における位置と、第８端部ｅｐ８の第１方向Ｄ１における位置と、の間にある。第２部分１１ｐｂは、第２発光モジュール１２の側の領域に対応する。
【０１２１】
発光装置１２０においては、第２部分１１ｐｂの少なくとも一部と、第５端部ｅｐ５との間の第２方向Ｄ２に沿う距離ｄｂは、第１部分１１ｐａと第５端部ｅｐ５との間の第２方向Ｄ２に沿う距離ｄａよりも短い。例えば、第５端部ｅｐ５、第７端部ｅｐ７及び第８端部ｅｐ８は、第１方向Ｄ１に沿い、第２部分１１ｐｂの少なくとも一部は、第１方向Ｄ１に対して傾斜している。
【０１２２】
例えば、第２部分１１ｐｂは、第１部分１１ｐａを規準にして、第６端部ｅｐ６から第５端部ｅｐ５への向きに、後退している。第２部分１１ｐｂは、第１方向Ｄ１及び第２方向Ｄ２対して傾斜している。第２部分１１ｐｂは、コーナ部に対応する。この例では、第２部分１１ｐｂは、カーブしている。
【０１２３】
このような第２部分１１ｐｂを設けることで、発光面１０ＥＦのコーナ部は、カーブする。このような第２部分１１ｐｂを設けることで、第１発光モジュール１１Ａと、複数の第２発光モジュール１２と、より、コーナ部が傾斜またはカーブした発光面１０ＥＦを簡単に得ることができる。
【０１２４】
発光装置１２０において、複数の第２発光モジュール１２は、図８に関して説明した種々の形状を有しても良い。
【０１２５】
図２３に示すように、発光装置１２０においては、第１発光モジュール１１の第２端部ｅｐ２は、カーブした凹状である。図２４に示すように、発光装置１２０において、第１発光モジュール１１Ａの第６端部ｅｐ６(または第２端部ｅｐ２）は、カーブしている。
【０１２６】
図２５及び図２６は、第２実施形態に係る発光装置を例示する模式的平面図である。  
図２５に示すように、発光装置１２１において、第１発光モジュール１１の第２端部ｅｐ２は、凹状である。凹状の形状の少なくとも一部は、直線状である。
【０１２７】
図２６に示すように、発光装置１２１において、第１発光モジュール１１Ａの第２部分１１ｐｂは、直線状であり、第１方向Ｄ１に対して傾斜している。
【０１２８】
図２７は、第２実施形態に係る発光装置を例示する模式的平面図である。  
図２７に示すように、発光装置１２２において、第１発光モジュール１１の第２端部ｅｐ２は、凸状である。この例では、凸状の形状は、カーブしている。発光装置１２２において、コーナ部の第１発光モジュール１１Ａの外縁の一部が凸状でも良い。第２端部ｅｐ２に、複数の凸状の部分が設けられても良い。コーナ部の第１発光モジュール１１Ａの外縁に複数の凸状の部分が設けられても良い。
【０１２９】
図２３〜図２７の例では、第２発光モジュール１２の第１方向Ｄ１に沿う長さは、第２発光モジュール１２の第２方向Ｄ２に沿う長さと異なる。
【０１３０】
図２８は、第２実施形態に係る発光装置を例示する模式的平面図である。  
図２８示すように、発光装置１２３において、第２発光モジュール１２の第１方向Ｄ１に沿う長さは、第２発光モジュール１２の第２方向Ｄ２に沿う長さと実質的に同じである。
【０１３１】
本実施形態において、第１発光モジュール１１（または１１Ａ）の形状は、第２発光モジュール１２の形状とは異なる。第１発光モジュール１１（または１１Ａ）は、例えば、矩形状ではない。このような第１発光モジュール１１（または１１Ａ）に複数の発光素子１１Ｅが設けられる場合、第１発光モジュール１１（または１１Ａ）の形状に対応させて、複数の第１発光素子１１Ｅの明るさを制御しても良い。以下、このような制御の例について説明する。
【０１３２】
図２９は、第２実施形態に係る発光装置の一部を例示する模式的平面図である。  
図２９に示すように、発光装置１２４において、第１発光モジュール１１Ａは、複数の第１発光素子１１Ｅ（発光素子１１Ｅａ及び発光素子１１Ｅｂ）を含む。複数の第１発光装置１１Ｅのそれぞれは、配線１１ｗにより、回路部７０に電気的に接続される。一方、第２発光モジュール１２は、複数の第２発光素子１２Ｅを含む。複数の第２発光素子１２Ｅのそれぞれは、配線１２ｗにより、回路部７０に電気的に接続される。
【０１３３】
既に説明したように、第１発光モジュール１１Ａの形状は、第２発光モジュール１２の形状とは異なる。この例では、第１発光モジュール１１Ａは、コーナ部の形状を有する。第１発光モジュール１１Ａにおいて、複数の発光素子１１Ｅａと、１つの発光素子１１Ｅｂと、が設けられている。
【０１３４】
複数の発光素子１１Ｅａの１つ（図２９において左下の素子）から複数の発光素子１１Ｅａの別の１つ（図２９において左上の素子）への方向は、第１方向Ｄ１に沿う。
【０１３５】
複数の発光素子１１Ｅａの上記の１つ（図２９において左下の素子）から複数の発光素子１１Ｅａのさらに別の１つ（図２９において右下の素子）への方向は、第２方向Ｄ２に沿う。
【０１３６】
複数の発光素子１１Ｅａの上記の別の１つ（図２９において左上の素子）から発光素子１１Ｅｂへの方向は、第２方向Ｄ２に沿う。複数の発光素子１１Ｅａの上記のさらに別の１つ（図２９において右下の素子）から発光素子１１Ｅｂへの方向は、第１方向Ｄ１に沿う。
【０１３７】
発光素子１１Ｅｂと第２端部ｅｐ２との間の第１方向Ｄ１に沿う距離は、複数の発光素子１１Ｅａの上記の１つ（図２９において左下の素子）と、第２端部ｅｐ２と、の間の第１方向Ｄ１に沿う距離よりも短い。
【０１３８】
発光素子１１Ｅｂと第６端部ｅｐ６との間の第２方向Ｄ２に沿う距離は、複数の発光素子１１Ｅａの上記の１つ（図２９において左下の素子）と、第６端部ｅｐ６と、の間の第２方向Ｄ２沿う距離よりも短い。
【０１３９】
発光素子１１Ｅｂと第２端部ｅｐ２との間の第１方向Ｄ１に沿う距離は、複数の発光素子１１Ｅａの上記のさらに別の１つ（図２９において右下の素子）と、第２端部ｅｐ２と、の間の第１方向Ｄ１に沿う距離よりも短い。
【０１４０】
発光素子１１Ｅｂと第６端部ｅｐ６との間の第２方向Ｄ２に沿う距離は、複数の発光素子１１Ｅａの上記の別の１つ（図２９において左上の素子）と、第６端部ｅｐ６と、の間の第２方向Ｄ２沿う距離よりも短い。
【０１４１】
例えば、発光素子１１Ｅｂは、第１発光モジュール１１に含まれる複数の発光素子の中で、第２端部ｅｐ２に最も近く、第６端部ｅｐ６に最も近い。発光素子１１Ｅｂは、第２発光モジュール１２の形状とは異なるコーナ部に近い発光素子である。
【０１４２】
実施形態において、回路部７０は、複数の第１発光素子１１Ｅの少なくとも１つの発光素子（発光素子１１Ｅｂ）に供給する電流を、複数の第１発光素子１１Ｅの他の発光素子（発光素子１１Ｅａ）に供給する電流と変えても良い。
【０１４３】
例えば、全ての第１発光素子１１Ｅに同じ電流が供給されると、全ての第１発光素子１１Ｅから実質的に同じ強度の光が出射する。この場合、コーナ部に近い発光素子１１Ｅｂの近傍の明るさは、他の発光素子１１Ｅａの近傍における明るさとは異なることがある。これにより、コーナ部の近傍の明るさは、他の部分よりも明るくなる場合がある。このため、全ての第１発光素子１１Ｅに同じ電流が供給されると、均一な明るさを得ることが困難になる場合がある。
【０１４４】
実施形態においては、回路部７０は、第１発光モジュール１１に含まれる複数の第１発光素子１１Ｅの一部（発光素子１１Ｅｂ）に供給される電流を、第１発光モジュール１１に含まれる複数の第１発光素子１１Ｅの別の一部（発光素子１１Ｅａ）に供給される電流と異ならせる。例えば、回路部７０は、前者を後者よりも小さくする。これにより、発光面１０ＥＦの面内における明るさの均一性を向上できる。
【０１４５】
実施形態において、複数の第１発光素子１１Ｅの一部へ供給される電流の変更は、電流の大きさの変更、及び、電流のデューティ比の変更の少なくともいずれかを含んでも良い。デューティ比の変更は、例えば、ＰＷＭ（パルス幅変調）における１周期の時間に対するパルス幅の比の変更を含む。
【０１４６】
電流の変更は、明るさの検出結果に基づいて行われても良い。電流の変更は、発光素子に流れる電流の検出結果に基づいて行われても良い。
【０１４７】
（第３実施形態）  
第３実施形態において１つの発光モジュールに複数の発光素子が設けられたときに、回路部７０は、その複数の発光素子の電気的な接続を変更可能である。
【０１４８】
図３０は、第３実施形態に係る発光装置を例示する模式図である。  
図３０は、発光装置１４０の発光面１０ＥＦの一部を例示している。  
図３０に示すように、発光モジュール１０（例えば第１発光モジュール１１でも良い）は、複数の発光素子（例えば発光素子１０ａ〜１０ｄなど）を含む。回路部７０は、複数の発光素子１０Ｅ（例えば発光素子１０ａ〜１０ｄなど）の少なくとも２つと電気的に接続される。この例では、回路部７０は、複数の発光素子１０Ｅ（例えば発光素子１０ａ〜１０ｄなど）と、配線１０ｗにより、電気的に接続される。
【０１４９】
実施形態においては、回路部７０は、複数の発光素子１０Ｅに関して、異なる複数の状態を切り替えることができる。複数の状態は、第１状態及び第２状態を含む。例えば、第１状態においては、複数の発光素子１０Ｅの少なくとも２つが並列に電気的に接続される。第２状態においては、複数の発光素子１０Ｅのその少なくとも２つが直列に電気的に接続される。
【０１５０】
例えば、回路部７０は、配線変換部７５及び電源切替部７６を含む。配線変換部７５及び電源切替部７６は、切替部７７に含まれる。一方、第１電源７１及び第２電源７２が設けられる。第１電源７１及び第２電源７２は、電源部７３に含まれる。第１電源７１及び第２電源７２は、回路部７０に含まれても良い。第１電源７１及び第２電源７２は、回路部７０とは別に設けられて良い。
【０１５１】
この例では、配線変換部７５は、複数の発光素子１０Ｅと第１電源７１との間の電流経路、及び、複数の発光素子１０Ｅと第２電源７２との間の電流経路に設けられる。電源切替部７６は、配線変換部７５と第１電源７１との間の電流経路、及び、配線変換部７５と第２電源７２との間の電流経路に設けられる。
【０１５２】
電源切替部７６は、配線変換部７５が第１電源７１と接続と接続される状態と、配線変換部７５が第２電源７２と接続と接続される状態と、を切り替え可能である。
【０１５３】
配線変換部７５は、例えば、第１〜第４スイッチＳＷ１〜ＳＷ４を含む。
【０１５４】
第１スイッチＳＷ１は、発光素子１０ａの１つの端子が、電源切替部７６と電気的に接続される状態と、接続されない状態と、を切り替える。
【０１５５】
第２スイッチＳＷ２は、発光素子１０ｂの１つの端子が、電源切替部７６と電気的に接続される状態と、発光素子１０ｂの上記の１つの端子と電気的に接続される状態と、を切り替える。
【０１５６】
第１スイッチＳＷ１及び第２スイッチＳＷ２により、発光素子１０ａと発光素子１０ｂとが直列に電気的に接続された状態と、発光素子１０ａと発光素子１０ｂとが電気的に分離された状態と、が形成できる。
【０１５７】
第３スイッチＳＷ３は、発光素子１０ｃの１つの端子が、電源切替部７６と電気的に接続される状態と、接続されない状態と、を切り替える。
【０１５８】
第４スイッチＳＷ４は、発光素子１０ｄの１つの端子が、電源切替部７６と電気的に接続される状態と、発光素子１０ｃの上記の１つの端子と電気的に接続される状態と、を切り替える。
【０１５９】
第３スイッチＳＷ３及び第４スイッチＳＷ４により、発光素子１０ｃと発光素子１０ｄとが直列に電気的に接続された状態と、発光素子１０ｃと発光素子１０ｄとが電気的に分離された状態と、が形成できる。
【０１６０】
このような構成により、以下に説明するように、複数の接続状態が得られる。
【０１６１】
図３１は、第３実施形態に係る発光装置を例示する模式図である。  
図３１に示すように、１つの接続状態において、発光素子１０ａ〜１０ｄのそれぞれが、並列に第２電源７２と電気的に接続される状態（第１状態ＳＴ１）が形成される。
【０１６２】
図３２は、第３実施形態に係る発光装置を例示する模式図である。  
図３２に示すように、別の１つの接続状態（第２状態ＳＴ２）において、発光素子１０ａ及び発光素子１０ｂが電気的に直列に接続され、発光素子１０ｃ及び発光素子１０ｄが電気的に直列に接続される状態が形成できる。そして、直列に接続された発光素子１０ａ及び発光素子１０ｂと、直列に接続された発光素子１０ｃ及び発光素子１０ｄと、が、電気的に並列に接続される。直列に接続せれた発光素子１０ａ及び発光素子１０ｂと、直列に接続された発光素子１０ｃ及び発光素子１０ｄと、が、第１電源７１と並列に電気的に接続される。
【０１６３】
このように、実施形態において、回路部７０は、複数の発光素子１０Ｅの少なくとも２つが並列に電気的に接続された第１状態ＳＴ１（図３１参照）を形成できる。回路部７０は、複数の発光素子１０Ｅの上記の少なくとも２つが直列に電気的に接続された第２状態ＳＴ２（図３２参照）を形成できる。回路部７０は、上記の２つの状態を切り替えることができる。
【０１６４】
例えば、同じ設計の発光モジュールを切替部７７の制御により、複数の接続状態で使用できる。例えば、異なる接続状態を有する異なる製品を、切替部７７の制御により、簡単に提供できる。例えば、発光モジュールの設計が統一化され、発光モジュール用の部品の種類が削減できる。発光モジュールの製造に用いる各種の部材（型など）の数を縮小できる。高い生産性が得られ、コストを低減できる。実施形態によれば、複数の接続状態による複数の動作状態が、簡単に得られる。実施形態によれば、より多機能の発光装置を提供できる。
【０１６５】
このような回路部７０は、第１実施形態及び第２実施形態に係る発光装置に適用できる。
【０１６６】
例えば、第１実施形態において、第１発光モジュール１１に複数の第１発光素子１１Ｅが設けられる（図１６参照）。回路部７０は、複数の第１発光素子１１Ｅの少なくとも２つに関して、上記の第１状態ＳＴ１及び上記の第２状態ＳＴ２を切り替えても良い。
【０１６７】
例えば、第１実施形態において、第２発光モジュール１２に複数の第２発光素子１２Ｅが設けられる（図１６参照）。回路部７０は、複数の第２発光素子１２Ｅの少なくとも２つに関して、上記の第１状態ＳＴ１及び上記の第２状態ＳＴ２を切り替えても良い。
【０１６８】
例えば、第２実施形態において、第１発光モジュール１１または１１Ａに複数の発光素子（発光素子１１Ｅａ及び１１Ｅｂなど）が設けられる（図２９参照）。回路部７０は、複数の発光素子（発光素子１１Ｅａ及び１１Ｅｂなど）の少なくとも２つに関して、上記の第１状態ＳＴ１及び上記の第２状態ＳＴ２を切り替えても良い。
【０１６９】
例えば、第２実施形態において、第２発光モジュール１２に複数の第２発光素子１２Ｅが設けられる（図２９参照）。回路部７０は、複数の第２発光素子１２Ｅの少なくとも２つに関して、上記の第１状態ＳＴ１及び上記の第２状態ＳＴ２を切り替えても良い。
【０１７０】
例えば、回路部７０は、電源部７３及び切替部７７を含む。切替部７７により、上記の接続状態が切り替えられる。
【０１７１】
例えば、複数の発光素子は、第１〜第４発光素子を含む。第１〜第４発光素子を例えば、発光素子１０ａ〜１０ｄとする。
【０１７２】
例えば、切替部７７は、第１状態ＳＴ１において、第１〜４発光素子（発光素子１０ａ〜１０ｄ）を電源部７３と並列に接続する。
【０１７３】
切替部７７は、第２状態ＳＴ２において、第１発光素子（発光素子１０ａ）と第２発光素子（発光素子１０ｂ）とを直列に接続し、第３発光素子（発光素子１０ｃ）と第４発光素子（発光素子１０ｄ）とを直列に接続する。切替部７７は、第１発光素子（発光素子１０ａ）及び第２発光素子（発光素子１０ｂ）を含む群と、第３発光素子（発光素子１０ｃ）及び第４発光素子（発光素子１０ｄ）を含む群と、を並列に電源部７３と電気的に接続する。
【０１７４】
図３３は、第３実施形態に係る発光装置を例示する模式図である。  
図３３に示すように、発光装置１４１において、複数の発光モジュール１０及び回路部７０が設けられる。複数の発光モジュール１０のそれぞれは、複数の発光素子１０Ｅを含む。発光装置１４１において、上記の第１状態ＳＴ１及び上記の第２状態ＳＴ２の切り替えが行われる。
【０１７５】
実施形態によれば、より多機能の発光装置を提供できる。
【０１７６】
以上、具体例を参照しつつ、本発明の実施の形態について説明した。しかし、本発明は、これらの具体例に限定されるものではない。例えば、発光装置に含まれる発光モジュール、発光領域、発光素子及び回路部などのそれぞれの具体的な構成に関しては、当業者が公知の範囲から適宜選択することにより本発明を同様に実施し、同様の効果を得ることができる限り、本発明の範囲に包含される。
【０１７７】
また、各具体例のいずれか２つ以上の要素を技術的に可能な範囲で組み合わせたものも、本発明の要旨を包含する限り本発明の範囲に含まれる。
【０１７８】
その他、本発明の実施の形態として上述した発光装置を基にして、当業者が適宜設計変更して実施し得る全ての発光装置も、本発明の要旨を包含する限り、本発明の範囲に属する。
【０１７９】
その他、本発明の思想の範疇において、当業者であれば、各種の変更例及び修正例に想到し得るものであり、それら変更例及び修正例についても本発明の範囲に属するものと解される。
【符号の説明】
【０１８０】
１０…発光モジュール、  １０Ｅ…発光素子、  １０ＥＦ…発光面、  １０ａ〜１０ｄ…発光素子、  １０ｗ…配線、  １１…第１発光モジュール、  １１Ａ…第１発光モジュール、  １１Ｅ…第１発光素子、  １１Ｅａ、１１Ｅｂ…発光素子、  １１ａ…第１辺、  １１ｂ…第２辺、  １１ｅ…第５辺、  １１ｆ…第６辺、  １１ｐ…コーナ部、  １１ｐａ…第１部分、  １１ｐｂ…第２部分、  １１ｗ…配線、  １２…第２発光モジュール、  １２Ｅ…第２発光素子、  １２Ｇ…群、  １２ａ〜１２ｄ…辺、  １２ｐ…コーナ部、  １２ｗ…配線、  １３…第３発光モジュール、  ２１…第１発光領域、  ２１Ｇ…群、  ２１ｃ…第３辺、  ２１ｄ…第４辺、  ２２…第２発光領域、  ２２Ｇ…群、  ２２ｇ…第７辺、  ２２ｈ…第８辺、  ２３…第３発光領域、  ７０…回路部、  ７１、７２…第１、第２電源、  ７３…電源部、  ７５…配線変換部、  ７６…電源切替部、  ７７…切替部、  １１０、１１１、１１１ａ、１１２〜１１５、１１５ａ、１１５ｂ、１１６〜１１８、１１８ａ、１１８ｂ、１２０〜１２４、１４０、１４１…発光装置、  ２１０…表示パネル、  ２１５…表示、  ３１０…表示装置、  ＡＲ…矢印方向、  Ｄ１、Ｄ２…方向、  Ｌｘ１…距離、  Ｌｘ２…長さ、  ＳＷ１〜ＳＷ４…第１〜第４スイッチ、  ｃｐ…コーナ部、  ｄａ、ｄｂ、ｄｘ、ｄｙ…距離、  ｅｐ１〜ｅｐ８…第１〜第８端部、  ｐ１、ｐ２…部分、  ｐＸ２、ｐＹ２、ｐｘ１、ｐｘ２、ｐｙ１、ｐｙ２…ピッチ
【図１】
2020053270.tif 000003
【図２】
2020053270.tif 000004
【図３】
2020053270.tif 000005
【図４】
2020053270.tif 000006
【図５】
2020053270.tif 000007
【図６】
2020053270.tif 000008
【図７】
2020053270.tif 000009
【図８】
2020053270.tif 000010
【図９】
2020053270.tif 000011
【図１０】
2020053270.tif 000012
【図１１】
2020053270.tif 000013
【図１２】
2020053270.tif 000014
【図１３】
2020053270.tif 000015
【図１４】
2020053270.tif 000016
【図１５】
2020053270.tif 000017
【図１６】
2020053270.tif 000018
【図１７】
2020053270.tif 000019
【図１８】
2020053270.tif 000020
【図１９】
2020053270.tif 000021
【図２０】
2020053270.tif 000022
【図２１】
2020053270.tif 000023
【図２２】
2020053270.tif 000024
【図２３】
2020053270.tif 000025
【図２４】
2020053270.tif 000026
【図２５】
2020053270.tif 000027
【図２６】
2020053270.tif 000028
【図２７】
2020053270.tif 000029
【図２８】
2020053270.tif 000030
【図２９】
2020053270.tif 000031
【図３０】
2020053270.tif 000032
【図３１】
2020053270.tif 000033
【図３２】
2020053270.tif 000034
【図３３】
2020053270.tif 000035